(57)【要約】【課題】  ディスポーザーから排出される厨芥を含んだ水を溜めるタンクを設け、このタンクから水中ポンプで脱水機に送る移送装置を、簡単、確実にした構成を提供する。【解決手段】  ディスポーザー１から排出される粉砕された厨芥を水とともに流し込むタンク３を設け、このタンク内に遠心式の水中ポンプ４を設置する。水中ポンプの吐き出し口と脱水機５を接続した移送管６にバルブを介してエアー抜き管７を取り付け、タンク３の底部に向けて少なくとも１個の噴出ノズル９を設けている。タンク内の水位が一定の上昇水位Ａまで上がる間にポンプ４の羽根部分と移送管６内のエアーを抜き、上昇水位Ａに達すると噴出ノズル９から攪拌用の水を噴出させ、数秒後に水中ポンプ４の運転を開始させる。【選択図】        図１
2010207716.tif 000002
【特許請求の範囲】
【請求項１】
ディスポーザーから排出される粉砕された厨芥を水とともに流し込むタンクを設け、前記タンク内に遠心式の水中ポンプを設置し、水中ポンプの吐き出し口と脱水機を接続する移送管にエアー抜き管を取り付け、タンクの底部に向けて少なくとも１個の噴出ノズルをそなえ、タンク内の水位が一定値まで上がる間に水中ポンプ内および移送管内のエアーを抜き、一定値に達すると噴出ノズルから攪拌用の水を噴出させて数秒後に水中ポンプの運転を開始させることを特徴とする厨芥処理排水の移送装置。
【発明の詳細な説明】
【技術分野】
【０００１】
本発明は、ディスポーザーで粉砕処理された厨芥を水とともに脱水機などに圧送する移送装置に関する。
【背景技術】
【０００２】
シンクの排水口に連結されたディスポーザーで粉砕処理された厨芥は、水とともに下水に自然流下により排出されるが、集合住宅や食堂などにように大量の厨芥を排出する場合などでは、ディスポーザーからの排水をいったんタンクに集めて脱水機に送り、固液分離して厨芥固形物は焼却あるいは、コンポスト化するなどの処理を行っている。
【０００３】
このように粉砕処理された厨芥を、脱水機など別の装置に圧送する場合は、あらかじめ水を貯留させた密閉タンク内に水中ポンプを設け、水中ポンプの吐き出し口をタンク内に開口させ、タンク内の水を水中ポンプの吸い込み口に循環させる循環パイプを設置し、循環パイプの途中に流入口を設けてディスポーザーからの粉砕厨芥を含む汚水を負圧で吸引させてタンクの上部に設けた外部排出管から圧送するようにしている。（特許文献１参照）
【０００４】
また、家庭および事業所などから発生する生ごみを粉砕し、粉砕された有機性廃棄物と水の混合液（排水）を、配管により自然流下、ポンプ圧送、空気圧送などの方法により移送部を経由して分離部へ移送することが示されている（特許文献２参照）が、この文献には圧送ポンプの種類や詳細な方法は示されていない。
【０００５】
【特許文献１】特開平７−３４５０４号公報
【特許文献２】特開２００４−３１３９４４号公報（０００６）
【発明の開示】
【発明が解決しようとする課題】
【０００６】
しかし特許文献１のように、密閉タンクに循環パイプを設け、水位検出器を設けないで、自吸循環水およびエジェクターノズルの真空吸引効果と、自吸ポンプの気液混合水の排出効果を持たせて圧送するものでは、構造が複雑になり、タンクを設置するシンク台の高さも大きくする必要がある。
【０００７】
なお、粉砕した厨芥を含む排水を脱水機に送るポンプとしては、空気を吸い込んだ場合でも送ることができるように容積式のポンプが使用されているが、ローターが接触しているため音が大きく、磨耗により寿命も短く、高価になる欠点があった。
このため、排水を溜めるタンクを設けて水中ポンプを用いると、タンク内の排水を一定に保っていないとポンプに空気が入ってエアーロックを生じ、運転を開始しても水中ポンプが作用しなくなるおそれがある。
【０００８】
本発明は、ディスポーザーから排出される粉砕された厨芥を含んだ水を、いったん溜める小形のタンクを設置し、このタンクから厨芥を含む水をポンプで脱水機に送る移送装置において、遠心式の水中ポンプを用い、その吐き出し口と脱水機を移送管で接続して圧送するようにした簡単で確実な構成を提供する。
【課題を解決するための手段】
【０００９】
このため、ディスポーザーから排出される粉砕された厨芥を水とともに流し込むタンクを設け、このタンク内に遠心式の水中ポンプを設置し、水中ポンプの吐き出し口と脱水機を接続した移送管に電動バルブを介してエアー抜き管を取り付け、タンクの底部に向けて少なくとも１個の攪拌用の噴出ノズルを設けており、ディスポーザーの運転と同時にエアー抜き管の電動バルブを開き、タンク内の水位が一定値に上がるまでに移送管内のエアーを除去して水中ポンプのエアーロックを防止し、水位が上昇位置に達するとエアー抜き管を閉じるとともに、噴出ノズルから水をタンク底部に向けて噴出させ、数秒後に水中ポンプの運転を開始させるようにしている。タンク内の水位がポンプ羽根の位置まで下がると水中ポンプの運転を止めるとともに噴出ノズルを閉じエアー抜き管を開いてサイホン作用を止める。
【００１０】
なお、タンクの底面を水中ポンプの設置位置に向けて傾斜させ、噴出ノズルからの水を傾斜方向に噴射させておけば、タンク内に沈殿した厨芥を攪拌して、ポンプが厨芥を効率よく吸い込んで移送させることができる。
【発明の効果】
【００１１】
このように本発明は、ディスポーザーから排出される粉砕された厨芥を水とともに流し込むタンクを設け、このタンク内に遠心式の水中ポンプを設置し、水中ポンプの吐き出し口と脱水機を接続した移送管にエアー抜き管を取り付け、タンクの底部にタンク内の水を攪拌する噴出ノズルを設けており、ディスポーザーの運転と同時にエアー抜き管からエアーを抜くことによって、ポンプの運転までにポンプの羽根部分や移送管内に残った空気を排除できるので、遠心式の簡易な水中ポンプを使用でき、タンク内の水位が一定値に上昇すると水中ポンプの運転を始める前に噴出ノズルから水を噴出させるようにしており、沈殿した厨芥を攪拌してタンク内に厨芥を残さないで有効に移送させ、ポンプの運転効率を向上させることができる。
また、タンクを小型にすることができるので、シンクのキャビネット内に設置することが可能である。
【実施例】
【００１２】
以下、図に示す実施例について説明する。
１はディスポーザー、２はシンク、３はディスポーザーからの排水を溜めるタンク、４はタンク３内に設置した遠心式の水中ポンプ、５はシンクとは別の場所に設けられた脱水機で、たとえばスクリュー脱水機、６は水中ポンプ４の吐き出し口と脱水機５を連結する移送管、７は移送管６に取り付けたエアー抜き管、８はエアー抜き管を開閉させる電動バルブ、９はタンクの底部に設けた噴出ノズル、１０は電磁弁、１１は排水管、１２は手動弁、１３は脱水機の操作弁である。
【００１３】
運転の当初は手動弁１２でタンクの排水管１１と、操作弁１３で移送管６の脱水機側は閉じており、シンク２に投入された厨芥は、水とともにディスポーザー１に流れ込んで粉砕され、粉砕された厨芥を含む排水がタンク３に排出されて溜められる。
【００１４】
図２のタイムスケジュールの例に示すように、ディスポーザー１が運転を開始すると、タンク内の空気が水中ポンプ４の羽根部分に空気が残っておりエアロックを生じるため、排水が上昇水位Ａに溜まるまでの間に、電動バルブ８を排出側にしてエアー抜き管７から水中ポンプ４および移送管６内の空気を排出させる。タンク内の水位が上昇し、上昇水位Ａに達すると上昇水位センサー（図示しない）が動作して電動バルブ８を閉じるとともに、電磁弁１０を開いて噴出ノズル９から水を噴射してタンク内の底部を攪拌し、数秒ｔ後たとえば３秒後に水中ポンプ４を起動させ、操作弁１３を開いてタンク内の厨芥と水を脱水機５に圧送する。
【００１５】
ディスポーザー１からの排水が減少あるいは止まって、タンク内の水位が下降水位Ｂまで下がり下降水位センサー（図示しない）が動作すると、水中ポンプ４を停止させ、電磁弁１０を閉じて噴出ノズル９からの水を止める。水位が下降水位Ｂまで下がる間に電動バルブ８を開いてエアー抜き管７から移送管６および水中ポンプ４の羽根部分に空気が入るとサイホン作用がなくなり、移送管６の立ち上がり部分の水位も下がる。
【００１６】
図２は、再びディスポーザー１から排水が増えてタンク内の水位が上昇水位Ａになったときの状態のなり、水中ポンプ４の運転を開始するスケジュールを示している。
ディスポーザーの作業が終わったとき、あるいは定期的に、噴出ノズル９あるいは図示しないタンク上部の給水管からの水でタンク内を洗い、洗浄した水は手動弁１２を開いて排水管１１から下水管などに排出させる。
【００１７】
図３および図４はタンク３の底面を傾斜させた例を示す部分図で、図１と同じ部分に同一の符号を付しており、タンク３底部の水中ポンプ４を設置した中央部を低くし、周囲の４箇所から噴出ノズル９で水を噴射させ、タンク底部に沈殿している厨芥を攪拌させるようにしており、タンク３の形状は図示した４角形に限られるものではない。
【００１８】
また本発明は、水中ポンプ４の運転に先立ってエアー抜きを実行しているので、タンク内の下降水位Ｂは、あらかじめ設定した位置にセンサーを設けて検出してもよいが、水位が下がって水中ポンプ４の羽根部分に空気が入り、ポンプ負荷が減少したことを検出して図示しない操作盤に信号を送りポンプの停止などを指令させることもできる。
【図面の簡単な説明】
【００１９】
【図１】本発明の実施例を示す構成図である。
【図２】操作例を示すタイムスケジュールである。
【図３】タンクの別の実施例を示す側断面図で上部を省略している。
【図４】図３の底部を示す上面図で、ノズルを４個設けている。
【符号の説明】
【００２０】
１  ディスポーザー
２  シンク
３  タンク
４  水中ポンプ
５  脱水機
６  移送管
７  エアー抜き管
８  電動バルブ
９  噴出ノズル
１０  電磁弁
１１  排水管
１２  手動弁
１３  調整弁
Ａ  上昇水位
Ｂ  下降水位
【図１】
2010207716.tif 000003
【図２】
2010207716.tif 000004
【図３】
2010207716.tif 000005
【図４】
2010207716.tif 000006